(57)【要約】【課題】誰でも快適に使用できる変化する折り畳み椅子のアームレスト構造を提供する。【解決手段】屈折及び固定する椅子１の骨組みの両側にあって、弾力性があり、湾曲するアームレスト部分２からなる。背もたれ部分１１及びシート部分１２は同一平面上にあり、そこから徐々に屈折して適当な角度になった時、その両側のアームレスト部分２がそれに伴なって隆起してアーチを描き、また、アームレスト部分２がへこんだ曲線を描いて背もたれ部分１１の面積を拡大する。このため、アームレストは、随時調整でき、多様に変化するという特徴を持つ。また、アームレスト部分２はへこんだ曲線を形成して、背もたれ部分１１の面積を拡大する効果があり、寝椅子として使用することが可能である。さらに、アームレスト部分２は様々な形式のスプリング板にすることが可能である。【選択図】　　図２
0003096909.tif 000002
【実用新案登録請求の範囲】
【請求項１】
屈折及び固定する椅子の骨組みの両側にあって、弾力性があり、湾曲するアームレスト部分を備え、背もたれ部分及びシート部分は同一平面上に設置され、背もたれ部分及びシート部分が屈折して適当な角度になった時、アームレスト部分はそれに伴なって隆起してアーチ状に変形可能であることを特徴とする変化する折り畳み椅子のアームレスト構造。
【請求項２】
アームレスト部分は、へこんだ曲線を形成して、背もたれ部分の接触面積は拡大され、寝椅子として使用可能であることを特徴とする請求項１に記載の変化する折り畳み椅子のアームレスト構造。
【請求項３】
アームレスト部分は、様々な形式のスプリング板にすることが可能であることを特徴とする請求項１に記載の変化する折り畳み椅子のアームレスト構造。
【考案の詳細な説明】
【０００１】
【考案の属する技術分野】
本考案は、変化する折り畳み椅子のアームレスト構造に関する。本考案の変化する折り畳み椅子のアームレストは、屈折及び固定する椅子の骨組みの両側にあって、弾力性があり、湾曲するアームレスト部分で、椅子が様々な角度で操作される時、その両側のアームレスト部分がそれに伴なって隆起し、アーチを描くあるいはへこんだ曲線を描くので、アームレストを随時調整でき、多様に変化するという特徴を持つ。
【０００２】
【従来の技術】
従来のロッキングチェア、座椅子及び折り畳み式の椅子は、一般に、アームレストがない。このため、手の置き場がなく、座っていても充分リラックスできないという感は否めない。そこで、この点を改善したアームレストのある椅子が開発され、両手を置く場所ができて、充分座り心地がよいものとなっている。
【０００３】
【考案が解決しようとする課題】
しかしながら、現在、市場に出まわっているアームレスト付きの椅子は、全て一定の高さに固定されている。したがって、異なった年令層の成人や子供が座った時、それぞれの身長や手の長さが異なるため、必ずしもその椅子が個々の状況にあっているとは限らず、座り心地もいいとは言えない。
【０００４】
【課題を解決するための手段】
本考案の変化する折り畳み椅子のアームレスト構造は、屈折及び固定する椅子の骨組みの両側にあって、弾力性があり、湾曲するアームレスト部分からなる。背もたれ部分及びシート部分は同一平面上にあり、そこから徐々に屈折して適当な角度になった時、その両側のアームレスト部分がそれに伴なって隆起してアーチを描き、また、アームレスト部分がへこんだ曲線を描いて背もたれの部分の面積を拡大するので、アームレストは随時調整でき、多様に変化するという特徴を持つ。
【０００５】
また、アームレスト部分はへこんだ曲線を形成して、背もたれ部分の面積を拡大する効果があり、寝椅子として使用することが可能である。
さらに、アームレスト部分は様々な形式のスプリング板にすることが可能である。
【０００６】
【考案の実施の形態】
図１、図２及び図３を参照いただきたい。本考案の一実施例による変化する折り畳み椅子のアームレスト構造は、屈折及び固定する椅子１の骨組みの両側に取り付けられる。アームレストは弾力があり、湾曲する異なったデザイン及び幅（例えば、連続して湾曲するＳ字型板）のアームレスト部分２からなる。背もたれ部分１１及びシート部分１２は、使用者の習慣や必要に応じて、同一の平面上から徐々に背もたれ部分１１が上に向かって屈折されて、適度な角度に達する時、その両側のアームレスト部分２がそれに伴って湾曲して徐々に隆起し、アーチを描く。図２、図４及び図６を参照いただきたい。使用者が最も使いやすい角度になった時、両手を置く位置も最も理想的な位置になり、リラックス効果が発揮される。アームレストが必要ない場合は、背もたれ部分１１とシート部分１２とを水平状態に戻して、アームレスト部分２を軽く押さえ、背もたれ部分１１の角度操作を行なうと、アームレスト部分２の湾曲と弾力作用によりアームレスト部分２は隆起せず、へこんだ曲線を形成する（図３、図５及び図７を参照いただきたい）。これによって、背中部分と臀部との接触面積が拡大し、簡易式の寝椅子として使用することができる。
【０００７】
本実施例の変化する折り畳み椅子のアームレスト構造は、弾力性があり、様々な変化をするので、ニーズに応じた調整が可能である。
また、本実施例の変化する折り畳み椅子のアームレストは、アームレスト部分がへこんだ曲線を形成して、背もたれ部分の面積を拡大する効果があり、寝椅子として使用することが可能である。
【０００８】
さらに、本実施例の変化する折り畳み椅子のアームレストは、アームレスト部分を様々な形式のスプリング板にすることが可能である。
したがって、本実施例の変化する折り畳み椅子のアームレストは、実用性に優れているという特徴を持つ。
【図面の簡単な説明】
【図１】本考案の一実施例による変化する折り畳み椅子のアームレスト構造の椅子を平らにした状態を示す斜視図である。
【図２】本考案の一実施例による変化する折り畳み椅子のアームレスト構造のアームレスト部分が隆起した状態を示す斜視図である。
【図３】本考案の一実施例による変化する折り畳み椅子のアームレスト構造のアームレスト部分がへこんだ曲線を形成する状態を示す斜視図である。
【図４】本考案の一実施例による変化する折り畳み椅子のアームレスト構造のアームレスト部分が隆起した状態を示す模式図である。
【図５】本考案の一実施例による変化する折り畳み椅子のアームレスト構造の椅子を操作する状態を示す模式図である。
【図６】本考案の一実施例による変化する折り畳み椅子のアームレスト構造を座椅子と組み合わせた状態を示す斜視図である。
【図７】本考案の一実施例による変化する折り畳み椅子のアームレスト構造を座椅子と組み合わせた状態を示す斜視図である。
【符号の説明】
１　　椅子
２　　アームレスト部分
１１　　背もたれ部分
１２　　シート部分
【図１】
0003096909.tif 000003
【図２】
0003096909.tif 000004
【図３】
0003096909.tif 000005
【図４】
0003096909.tif 000006
【図５】
0003096909.tif 000007
【図６】
0003096909.tif 000008
【図７】
0003096909.tif 000009
【手続補正書】
【提出日】平成15年6月18日(2003.6.18)
【手続補正１】
【補正対象書類名】明細書
【補正対象項目名】実用新案登録請求の範囲
【補正方法】変更
【補正の内容】
【実用新案登録請求の範囲】
【請求項１】
屈折及び固定される椅子の骨組みの両側に設けられ、弾力性を有する湾曲するアームレスト部と、
同一平面上に設置されている背もたれ部及びシート部とを備え、
前記アームレスト部は、前記背もたれ部及び前記シート部が屈折して任意の角度に調整されたとき、屈折する前記背もたれ部及び前記シート部の角度に応じて隆起してアーチ状に変形することを特徴とする折り畳み椅子のアームレスト構造。
【請求項２】
前記アームレスト部は、前記背もたれ部の接触面積を拡大し寝椅子として使用されるとき、へこんだ曲線状に折れ曲がることを特徴とする請求項１記載の折り畳み椅子のアームレスト構造。
【請求項３】
アームレスト部分は、様々な形式のスプリング板にすることが可能であることを特徴とする請求項１に記載の変化する折り畳み椅子のアームレスト構造。